(57)【要約】  【課題】  食品を摂取する間食による摂取カロリーを正確に管理することができる摂取カロリー管理方法、カロリー情報処理システム、カロリー情報処理装置及びコンピュータプログラムを提供する。  【解決手段】  菓子等の食品を摂取することで使用者が間食を摂取する際に、バーコード等の食品を特定する情報を携帯電話等の送受信装置２からカロリー情報処理装置１へ送信する。カロリー情報処理装置１は、受信した情報に基づいて食品のカロリーを検索し、食品の摂取の可否に係る情報等の摂取に係る摂取情報を送受信装置２へ送信する。食品を摂取することで摂取カロリーが目標値を上回る場合は、食品の摂取を禁止する摂取情報が送信される。送受信装置２は摂取情報を出力し、使用者は摂取情報に従うことで摂取カロリーをコントロールできる。【選択図】        図１
2006134114.tif 000002
【特許請求の範囲】
【請求項１】
食品に対応するカロリーに係る情報を処理するカロリー情報処理装置と、該カロリー情報処理装置に対して情報の送受信を行う送受信装置とを用い、人が摂取するカロリーを管理する摂取カロリー管理方法であって、
前記送受信装置は、
食品を特定する情報を受け付け、
受け付けた前記情報を前記カロリー情報処理装置へ送信し、
前記カロリー情報処理装置は、
食品を特定する情報を前記送受信装置から受信した場合に、受信した前記情報が特定する食品に対応するカロリーを検索し、
検索したカロリーに基づいて、前記食品の摂取に係る摂取情報を生成し、
生成した前記摂取情報を前記送受信装置へ送信し、
前記送受信装置は、
摂取情報を前記カロリー情報処理装置から受信した場合に、受信した摂取情報を出力すること
を特徴とする摂取カロリー管理方法。
【請求項２】
前記送受信装置は、
食品を摂取したことを示す摂取確認情報を受け付け、
受け付けた前記摂取確認情報を前記カロリー情報処理装置へ送信し、
前記カロリー情報処理装置は、
食品を摂取したことを示す摂取確認情報を前記送受信装置から受信した場合に、前記食品に対応するカロリーを、間食による摂取カロリーとして記憶すること
を特徴とする請求項１に記載の摂取カロリー管理方法。
【請求項３】
前記カロリー情報処理装置は、
所定期間内に摂取する間食による摂取カロリーの目標値を記憶しておき、
間食による摂取カロリーを日時に関連づけて記憶し、
前記摂取情報を生成する際には、
前記所定期間内の日時に関連づけられた間食による摂取カロリー及び前記検索したカロリーを合計し、
合計した合計結果と前記目標値とを比較し、
比較した比較結果に基づいた内容の摂取情報を生成すること
を特徴とする請求項２に記載の摂取カロリー管理方法。
【請求項４】
前記カロリー情報処理装置は、
所定期間内に摂取する食事及び間食による摂取カロリーの合計の目標値を記憶しておき、
食事による摂取カロリーを日時に関連づけて記憶し、
間食による摂取カロリーを日時に関連づけて記憶し、
前記摂取情報を生成する際には、
前記所定期間内の日時に関連づけられた食事による摂取カロリー、間食による摂取カロリー、及び前記検索したカロリーを合計し、
合計した合計結果と前記目標値とを比較し、
比較した比較結果に基づいた内容の摂取情報を生成すること
を特徴とする請求項２に記載の摂取カロリー管理方法。
【請求項５】
前記合計結果が前記目標値を上回っていることを前記比較結果が示していた場合は、食品の摂取の禁止を示す情報を含む摂取情報を生成することを特徴とする請求項３又は４に記載の摂取カロリー管理方法。
【請求項６】
前記比較結果に応じた食事メニュー又は間食の内容を示す情報を含む摂取情報を生成することを特徴とする請求項３乃至５のいずれか一つに記載の摂取カロリー管理方法。
【請求項７】
前記カロリー情報処理装置は、
所定期間内に摂取する食事及び間食による摂取カロリーの合計の目標値を記憶しておき、
食事による摂取カロリーを日時に関連づけて記憶し、
間食による摂取カロリーを日時に関連づけて記憶し、
前記所定期間の経過時に、前記所定期間内の日時に関連づけられた食事による摂取カロリー及び間食による摂取カロリーの合計値と前記目標値とを比較し、
比較した比較結果に係る情報を前記送受信装置へ送信し、
前記送受信装置は、
前記比較結果に係る情報を前記カロリー情報処理装置から受信した場合に、受信した前記情報を出力すること
を特徴とする請求項２に記載の摂取カロリー管理方法。
【請求項８】
前記送受信装置は、
人の体重を示す情報を受け付け、
受け付けた前記情報を前記カロリー情報処理装置へ送信し、
前記カロリー情報処理装置は、
前記送受信装置から受信した前記情報が示す体重を日時に関連づけて記憶し、
日時に関連づけられた体重の経時変化に応じて前記目標値を決定すること
を特徴とする請求項３乃至７のいずれか一つに記載の摂取カロリー管理方法。
【請求項９】
食品に対応するカロリーに係る情報を処理するカロリー情報処理装置と、該カロリー情報処理装置に対して情報の送受信を行う送受信装置とを含むカロリー情報処理システムであって、
前記送受信装置は、
食品を特定する情報を受け付ける手段と、
該手段が受け付けた前記情報を前記カロリー情報処理装置へ送信する手段とを備え、
前記カロリー情報処理装置は、
食品を特定する情報を前記送受信装置から受信した場合に、受信した前記情報が特定する食品に対応するカロリーを検索する検索手段と、
該検索手段が検索したカロリーに基づいて、前記食品の摂取の可否に係る摂取情報を生成する摂取情報生成手段と、
該摂取情報生成手段が生成した前記摂取情報を前記送受信装置へ送信する手段とを備え、
前記送受信装置は、更に、
食品の摂取に係る摂取情報を前記カロリー情報処理装置から受信した場合に、受信した前記摂取情報を出力する手段を備えること
を特徴とするカロリー情報処理システム。
【請求項１０】
前記カロリー情報処理装置は、
所定のカロリー値を記憶する手段と、
日時に関連づけてカロリーを記憶する記憶手段とを更に備え、
前記摂取情報生成手段は、
所定期間内の日時に関連づけられて前記記憶手段が記憶するカロリー及び前記検索手段が検索したカロリーを合計する手段と、
該手段による合計結果と前記所定のカロリー値とを比較する手段と、
該手段による比較結果が、前記合計結果が前記所定のカロリー値を上回っていることを示していた場合は、食品の摂取の禁止を示す情報を含む摂取情報を生成する手段と
を有することを特徴とする請求項９に記載のカロリー情報処理システム。
【請求項１１】
食品に対応するカロリーに係る情報を処理するカロリー情報処理装置であって、
外部の装置から、食品を特定する情報を受信する手段と、
該手段が受信した前記情報が特定する食品に対応するカロリーを検索する検索手段と、
該検索手段が検索したカロリーに基づいて、前記食品の摂取の可否に係る摂取情報を生成する摂取情報生成手段と、
該摂取情報生成手段が生成した前記摂取情報を前記外部の装置へ送信する手段と
を備えることを特徴とするカロリー情報処理装置。
【請求項１２】
所定のカロリー値を記憶する手段と、
日時に関連づけてカロリーを記憶する記憶手段とを更に備え、
前記摂取情報生成手段は、
所定期間内の日時に関連づけられて前記記憶手段が記憶するカロリー及び前記検索手段が検索したカロリーを合計する手段と、
該手段による合計結果と前記所定のカロリー値とを比較する手段と、
該手段による比較結果が、前記合計結果が前記所定のカロリー値を上回っていることを示していた場合は、食品の摂取の禁止を示す情報を含む摂取情報を生成する手段と
を有することを特徴とする請求項１１に記載のカロリー情報処理装置。
【請求項１３】
食品を特定する情報を外部の装置から受信することができるコンピュータに、食品に対応するカロリーに係る情報を処理させるコンピュータプログラムであって、
コンピュータに、受信した前記情報が特定する食品に対応するカロリーを検索させる手順と、
コンピュータに、検索したカロリーに基づいて、前記食品の摂取の可否に係る摂取情報を生成させる手順と
を含むことを特徴とするコンピュータプログラム。
【発明の詳細な説明】
【技術分野】
【０００１】
本発明は、体重の調整を目的とした摂取カロリーの管理を行うための摂取カロリー管理方法、カロリー情報処理システム、カロリー情報処理装置及びコンピュータプログラムに関する。
【背景技術】
【０００２】
従来、体調管理又は美容を目的として体重を調整するためには、消費カロリーと共に摂取カロリーを管理することが重要であるとされている。また生活習慣病等の病気を治療するための食事療法を行う際にも、摂取カロリーの管理が必要となってくる。通常、摂取カロリーは、食事の種類及び量に応じた摂取カロリーの合計量が一日に摂取可能なカロリーを超えないように一日単位で管理される。このように摂取カロリーの管理を行うためには、食事の都度、食事の種類及び量に応じた摂取カロリーを調べ、一日のそれまでの摂取カロリーの合計値を算出し、一日に摂取可能なカロリーと比較する作業が必要となる。そこで、摂取カロリーを管理するために必要な作業を支援する種々の技術が提案されている。
【０００３】
特許文献１には、サーバ装置が食事のカロリーに係る情報を記憶しておき、携帯電話等の通信装置がサーバ装置内の情報を検索することによって、使用者が食事に係る摂取カロリーを容易に調べることができ、更に使用者が摂取したカロリーをサーバ装置に登録することにより、摂取カロリーを管理し易くする技術が開示されている。特許文献２には、カメラで撮影した食事前後の写真を通信装置からサーバ装置へ送信し、またカロリーメーターが取得した使用者の消費カロリーをサーバ装置へ送信し、サーバ装置で使用者の摂取カロリー及び消費カロリーを管理する技術が開示されている。また特許文献３には、一日の摂取カロリーの合計量のみならず、朝食、昼食、夕食及び間食で摂取する摂取カロリーの配分をも管理することができる技術が開示されている。
【特許文献１】特開２００２−３１２４８８号公報
【特許文献２】特開２００２−２３６７５５号公報
【特許文献３】特開２００３−３０３３４号公報
【発明の開示】
【発明が解決しようとする課題】
【０００４】
以上の如き摂取カロリーを監視するための技術には、主に食事の摂取を管理することによって摂取カロリーを管理する例が多い。このような技術では、使用者が間食を摂取した場合は正確に摂取カロリーを管理することができないという問題がある。またこのような技術を利用した場合は間食の摂取を禁止する必要があるので、間食を摂取する習慣のある使用者には摂取カロリーの管理を継続して行うことが困難であるという問題がある。
【０００５】
また間食の際には菓子等の食品を購入して摂取することが多く、このような食品は、少量でも高カロリーであることがあり、また食品によるカロリーの違いが大きいので、間食の場合は食品に応じて細かく摂取カロリーを管理することが望ましい。特許文献３に開示された技術では、間食の摂取をも管理することが可能であるが、間食の場合も食事の場合と同様に食品名に応じた典型的なカロリーを計上するのみであるので、間食による摂取カロリーを詳細に管理することができないという問題がある。
【０００６】
本発明は、斯かる事情に鑑みてなされたものであって、その目的とするところは、間食として購入した食品のカロリーに係る正確な情報を手軽に獲得することができる摂取カロリー管理方法、カロリー情報処理システム、カロリー情報処理装置及びコンピュータプログラムを提供することにある。
【０００７】
また本発明の他の目的とするところは、間食による摂取カロリーを正確に管理することができる摂取カロリー管理方法、カロリー情報処理システム、カロリー情報処理装置及びコンピュータプログラムを提供することにある。
【０００８】
また本発明の他の目的とするところは、使用者に対して、使用者のカロリーの摂取状況に応じた間食の摂取に係るアドバイスを与えることができる摂取カロリー管理方法、カロリー情報処理システム、カロリー情報処理装置及びコンピュータプログラムを提供することにある。
【０００９】
また本発明の他の目的とするところは、食品を購入して摂取する間食による摂取カロリーを効果的に制限することができる摂取カロリー管理方法、カロリー情報処理システム、カロリー情報処理装置及びコンピュータプログラムを提供することにある。
【００１０】
更に本発明の他の目的とするところは、体重を調整するために効果的な摂取カロリーの管理計画を定めることができる摂取カロリー管理方法、カロリー情報処理システム、カロリー情報処理装置及びコンピュータプログラムを提供することにある。
【課題を解決するための手段】
【００１１】
第１発明に係る摂取カロリー管理方法は、食品に対応するカロリーに係る情報を処理するカロリー情報処理装置と、該カロリー情報処理装置に対して情報の送受信を行う送受信装置とを用い、人が摂取するカロリーを管理する摂取カロリー管理方法であって、前記送受信装置は、食品を特定する情報を受け付け、受け付けた前記情報を前記カロリー情報処理装置へ送信し、前記カロリー情報処理装置は、食品を特定する情報を前記送受信装置から受信した場合に、受信した前記情報が特定する食品に対応するカロリーを検索し、検索したカロリーに基づいて、前記食品の摂取に係る摂取情報を生成し、生成した前記摂取情報を前記送受信装置へ送信し、前記送受信装置は、摂取情報を前記カロリー情報処理装置から受信した場合に、受信した摂取情報を出力することを特徴とする。
【００１２】
第２発明に係る摂取カロリー管理方法は、前記送受信装置は、食品を摂取したことを示す摂取確認情報を受け付け、受け付けた前記摂取確認情報を前記カロリー情報処理装置へ送信し、前記カロリー情報処理装置は、食品を摂取したことを示す摂取確認情報を前記送受信装置から受信した場合に、前記食品に対応するカロリーを、間食による摂取カロリーとして記憶することを特徴とする。
【００１３】
第３発明に係る摂取カロリー管理方法は、前記カロリー情報処理装置は、所定期間内に摂取する間食による摂取カロリーの目標値を記憶しておき、間食による摂取カロリーを日時に関連づけて記憶し、前記摂取情報を生成する際には、前記所定期間内の日時に関連づけられた間食による摂取カロリー及び前記検索したカロリーを合計し、合計した合計結果と前記目標値とを比較し、比較した比較結果に基づいた内容の摂取情報を生成することを特徴とする。
【００１４】
第４発明に係る摂取カロリー管理方法は、前記カロリー情報処理装置は、所定期間内に摂取する食事及び間食による摂取カロリーの合計の目標値を記憶しておき、食事による摂取カロリーを日時に関連づけて記憶し、間食による摂取カロリーを日時に関連づけて記憶し、前記摂取情報を生成する際には、前記所定期間内の日時に関連づけられた食事による摂取カロリー、間食による摂取カロリー、及び前記検索したカロリーを合計し、合計した合計結果と前記目標値とを比較し、比較した比較結果に基づいた内容の摂取情報を生成することを特徴とする。
【００１５】
第５発明に係る摂取カロリー管理方法は、前記合計結果が前記目標値を上回っていることを前記比較結果が示していた場合は、食品の摂取の禁止を示す情報を含む摂取情報を生成することを特徴とする。
【００１６】
第６発明に係る摂取カロリー管理方法は、前記比較結果に応じた食事メニュー又は間食の内容を示す情報を含む摂取情報を生成することを特徴とする。
【００１７】
第７発明に係る摂取カロリー管理方法は、前記カロリー情報処理装置は、所定期間内に摂取する食事及び間食による摂取カロリーの合計の目標値を記憶しておき、食事による摂取カロリーを日時に関連づけて記憶し、間食による摂取カロリーを日時に関連づけて記憶し、前記所定期間の経過時に、前記所定期間内の日時に関連づけられた食事による摂取カロリー及び間食による摂取カロリーの合計値と前記目標値とを比較し、比較した比較結果に係る情報を前記送受信装置へ送信し、前記送受信装置は、前記比較結果に係る情報を前記カロリー情報処理装置から受信した場合に、受信した前記情報を出力することを特徴とする。
【００１８】
第８発明に係る摂取カロリー管理方法は、前記送受信装置は、人の体重を示す情報を受け付け、受け付けた前記情報を前記カロリー情報処理装置へ送信し、前記カロリー情報処理装置は、前記送受信装置から受信した前記情報が示す体重を日時に関連づけて記憶し、日時に関連づけられた体重の経時変化に応じて前記目標値を決定することを特徴とする。
【００１９】
第９発明に係るカロリー情報処理システムは、食品に対応するカロリーに係る情報を処理するカロリー情報処理装置と、該カロリー情報処理装置に対して情報の送受信を行う送受信装置とを含むカロリー情報処理システムであって、前記送受信装置は、食品を特定する情報を受け付ける手段と、該手段が受け付けた前記情報を前記カロリー情報処理装置へ送信する手段とを備え、前記カロリー情報処理装置は、食品を特定する情報を前記送受信装置から受信した場合に、受信した前記情報が特定する食品に対応するカロリーを検索する検索手段と、該検索手段が検索したカロリーに基づいて、前記食品の摂取の可否に係る摂取情報を生成する摂取情報生成手段と、該摂取情報生成手段が生成した前記摂取情報を前記送受信装置へ送信する手段とを備え、前記送受信装置は、更に、食品の摂取に係る摂取情報を前記カロリー情報処理装置から受信した場合に、受信した前記摂取情報を出力する手段を備えることを特徴とする。
【００２０】
第１０発明に係るカロリー情報処理システムは、前記カロリー情報処理装置は、所定のカロリー値を記憶する手段と、日時に関連づけてカロリーを記憶する記憶手段とを更に備え、前記摂取情報生成手段は、所定期間内の日時に関連づけられて前記記憶手段が記憶するカロリー及び前記検索手段が検索したカロリーを合計する手段と、該手段による合計結果と前記所定のカロリー値とを比較する手段と、該手段による比較結果が、前記合計結果が前記所定のカロリー値を上回っていることを示していた場合は、食品の摂取の禁止を示す情報を含む摂取情報を生成する手段とを有することを特徴とする。
【００２１】
第１１発明に係るカロリー情報処理装置は、食品に対応するカロリーに係る情報を処理するカロリー情報処理装置であって、外部の装置から、食品を特定する情報を受信する手段と、該手段が受信した前記情報が特定する食品に対応するカロリーを検索する検索手段と、該検索手段が検索したカロリーに基づいて、前記食品の摂取の可否に係る摂取情報を生成する摂取情報生成手段と、該摂取情報生成手段が生成した前記摂取情報を前記外部の装置へ送信する手段とを備えることを特徴とする。
【００２２】
第１２発明に係るカロリー情報処理装置は、所定のカロリー値を記憶する手段と、日時に関連づけてカロリーを記憶する記憶手段とを更に備え、前記摂取情報生成手段は、所定期間内の日時に関連づけられて前記記憶手段が記憶するカロリー及び前記検索手段が検索したカロリーを合計する手段と、該手段による合計結果と前記所定のカロリー値とを比較する手段と、該手段による比較結果が、前記合計結果が前記所定のカロリー値を上回っていることを示していた場合は、食品の摂取の禁止を示す情報を含む摂取情報を生成する手段とを有することを特徴とする。
【００２３】
第１３発明に係るコンピュータプログラムは、食品を特定する情報を外部の装置から受信することができるコンピュータに、食品に対応するカロリーに係る情報を処理させるコンピュータプログラムであって、コンピュータに、受信した前記情報が特定する食品に対応するカロリーを検索させる手順と、コンピュータに、検索したカロリーに基づいて、前記食品の摂取の可否に係る摂取情報を生成させる手順とを含むことを特徴とする。
【００２４】
第１、第９、第１１及び第１３発明においては、サーバ装置であるカロリー情報処理装置と携帯電話等の送受信装置とを用い、使用者が購入した菓子等の食品を摂取することで間食を摂取する際に、食品の外観の写真又はバーコード等の食品を特定する情報を送受信装置からカロリー情報処理装置へ送信し、カロリー情報処理装置は食品のカロリーを検索し、検索したカロリーに応じて、食品を摂取することの可否又は摂取結果等の摂取に係る摂取情報をカロリー情報処理装置から送受信装置へ送信する。これによって、使用者は摂取しようとしている食品に係る情報を手軽に得ることができる。
【００２５】
第２発明においては、使用者が食品を摂取した場合に、送受信装置は使用者が食品を摂取したことを示す摂取確認情報をカロリー情報処理装置へ送信し、カロリー情報処理装置は、食品のカロリーを、使用者が間食によって摂取した摂取カロリーとして記憶する。
【００２６】
第３発明においては、カロリー情報処理装置は、一日間又は一日の中の各時間等の所定期間内に摂取する間食による摂取カロリーの目標値を記憶しておき、使用者が間食によって摂取した摂取カロリーを日時に関連づけて記憶し、摂取情報を生成する際には、現在を含む所定期間内に使用者が間食によって摂取した摂取カロリー及び食品に係るカロリーを合計した合計値と前記目標値とを比較し、比較結果に基づいた内容の摂取情報を生成する。
【００２７】
第４発明においては、カロリー情報処理装置は、一日間等の所定期間内に摂取する食事及び間食による摂取カロリーの合計の目標値を記憶しておき、使用者が食事及び間食によって摂取した摂取カロリーを日時に関連づけて記憶し、摂取情報を生成する際には、現在を含む所定期間内に使用者が食事及び間食によって摂取した総摂取カロリーと食品に係るカロリーとを合計した合計値を前記目標値と比較し、比較結果に基づいた内容の摂取情報を生成する。
【００２８】
第５、第１０及び第１２発明においては、カロリー情報処理装置は、摂取情報を生成する際には、所定期間内の摂取カロリー及び食品に係るカロリーの合計値が摂取カロリーの目標値を上回っている場合は、食品の摂取の禁止を示す情報を含む摂取情報を生成する。
【００２９】
第６発明においては、カロリー情報処理装置は、摂取情報を生成する際には、所定期間内の摂取カロリー及び食品に係るカロリーの合計値と摂取カロリーの目標値との比較結果に応じて、摂取カロリーを適切にコントロールできるような食事メニュー又は間食の内容を示す情報を含む摂取情報を生成する。
【００３０】
第７発明においては、カロリー情報処理装置は、一日間等の所定期間内に摂取する食事及び間食による摂取カロリーの合計の目標値を記憶しておき、使用者が食事及び間食によって摂取した摂取カロリーを日時に関連づけて記憶し、一日間等の所定期間の終了時に、前記所定期間内に使用者が食事及び間食によって摂取した総摂取カロリーと目標値とを比較し、比較結果に係る情報を送受信装置へ送信する。送受信装置は、受信した情報を出力し、使用者は、一日間等の所定期間におけるカロリーの摂取結果を確認することができる。
【００３１】
第８発明においては、送受信装置は、使用者の体重を示す情報を受け付けてカロリー情報処理装置へ送信し、カロリー情報処理装置は、使用者の体重を日時に関連づけて記憶し、体重の日々の変化に応じて摂取カロリーの目標値を決定する。
【発明の効果】
【００３２】
第１、第９、第１１及び第１３発明にあっては、使用者が菓子等の食品を摂取しようとする際に、外観の写真又はバーコード等の食品を特定する情報を携帯電話等の送受信装置からカロリー情報処理装置へ送信し、カロリー情報処理装置は受信した情報に基づいて食品のカロリーを検索し、カロリーに応じた摂取情報を送受信装置へ送信して送受信装置が出力することによって、使用者は摂取しようとしている食品のカロリーに係る情報を摂取前に手軽に獲得することができ、食品の摂取の可否又は摂取結果等に係る摂取情報に基づいて食品を摂取するか否かを適切に判断することができる。また食品特定情報に基づいて食品のカロリーを検索することにより、食品に係るカロリーを正確に知ることができるので、間食による摂取カロリーを正確に管理することが可能となる。
【００３３】
第２発明にあっては、食品を使用者が摂取した場合は、食品を摂取したことを示す摂取確認情報を送受信装置からカロリー情報処理装置へ送信し、カロリー情報処理装置は食品に係るカロリーを間食による摂取カロリーとして記憶することにより、使用者が間食によって摂取したカロリーを正確に管理することができる。
【００３４】
第３発明にあっては、カロリー情報処理装置は、一日間又は一日の各時間等の所定期間内での間食による摂取カロリーの目標値と所定期間内に実際に摂取した間食による摂取カロリーに食品のカロリーを合計した合計値とを比較した比較結果に基づいた摂取情報を生成して送受信装置へ送信することにより、使用者は、カロリーの摂取に関して、間食によるカロリーの摂取状況に応じた適切なアドバイスを受けることができる。
【００３５】
第４発明にあっては、カロリー情報処理装置は、一日間又は一日の各時間等の所定期間内での食事及び間食による摂取カロリーの目標値と所定期間内に実際に摂取した総摂取カロリーに食品のカロリーを合計した合計値とを比較した比較結果に基づいた摂取情報を生成して送受信装置へ送信することにより、使用者は、カロリーの摂取に関して、現在のカロリーの摂取状況に応じた適切なアドバイスを受けることができる。
【００３６】
第５、第１０及び第１２発明にあっては、それまでの摂取カロリーに食品のカロリーを合計した合計値が摂取カロリーの目標値を上回っている場合は、食品の摂取の禁止を示す情報を含む摂取情報を生成することにより、使用者が間食によるカロリーを摂取し過ぎないように効果的に摂取カロリーを制限することができる。
【００３７】
第６発明にあっては、摂取カロリーの目標値とそれまでの摂取カロリーに食品のカロリーを合計した合計値とを比較した比較結果に応じて、摂取カロリーを適切にコントロールできるような食事メニュー又は間食の内容を示す情報を含む摂取情報を生成するので、使用者は、食事のメニュー又は間食の種類を変更する等して摂取情報に従うことにより、適切に摂取カロリーをコントロールすることができる。
【００３８】
第７発明にあっては、一日間等の所定期間終了時に、所定期間における摂取カロリーの目標値と実際の摂取カロリーとの比較結果に応じた報告を行うことにより、使用者は、一日間等の所定期間におけるカロリーの摂取結果を確認し、確認した摂取結果をふまえて以後の摂取カロリーの管理をより適切に行うことができるようになる。
【００３９】
第８発明にあっては、カロリー情報処理装置は、使用者の日々の体重を記憶し、体重の経時変化に基づいて、一日の総摂取カロリーの目標値又は一日の各時間における摂取カロリーの目標値等の摂取カロリーの目標値を決定するので、体重を調整するために現実の状況に基づいた効果的な摂取カロリーの管理計画を定めることができる等、本発明は優れた効果を奏する。
【発明を実施するための最良の形態】
【００４０】
以下本発明をその実施の形態を示す図面に基づき具体的に説明する。
図１は、本発明のカロリー情報処理システムの概要を示す概念図である。図中１は、本発明のカロリー情報処理装置である。カロリー情報処理装置１は、サーバ装置を用いて構成されており、通信ネットワークＮに接続されている。図中２は、携帯電話、ＰＨＳ又はＰＤＡ等の携帯装置である本発明に係る送受信装置である。送受信装置２は、無線通信を用いて通信ネットワークＮに接続が可能であり、通信ネットワークＮを介してカロリー情報処理装置１との間で情報を送受信する機能を有している。
【００４１】
送受信装置２は、情報を表示する液晶パネル等の表示部と、使用者の操作により情報の入力を受け付けるテンキー等の受付部とを備えている。表示部は、受付部で受け付けた情報、又は通信ネットワークＮを介してカロリー情報処理装置１から受信した情報を表示する。また送受信装置２は、菓子、菓子パン又はカップ麺等の食品を特定することができる外観の写真、バーコード、ＪＡＮ（Japan Article Number）コード又は商品名等の食品を特定する食品特定情報を取り込む機能を有している。ここで、食品は店舗での購入が可能な食用の商品であるとする。食品特定情報を取り込む機能として、送受信装置２は、食品の外観の写真を撮影する撮影部、又は食品の表面に記録されているバーコードを読み取るバーコード読み取り部を備えている。撮影部又はバーコード読み取り部を備えていない場合でも、送受信装置２は、受付部を使用者が操作することによって、食品の表面にバーコードと共に記録されているＪＡＮコード又は食品の商品名を受け付けることが可能である。送受信装置２は、これらの取り込んだ食品特定情報を、通信ネットワークＮを介してカロリー情報処理装置１へ送信する構成となっている。
【００４２】
また送受信装置２は、朝食、昼食又は夕食等の食事の内容を示すメニュー情報を受け付け、受け付けたメニュー情報を通信ネットワークＮを介してカロリー情報処理装置１へ送信する構成となっている。送受信装置２は、受付部を使用者が操作することによって、食事の内容の入力を受け付ける。また送受信装置２は、食事の内容の例を表示部が表示し、受付部を使用者が操作することによって実際の食事の内容が選択される形態であってもよい。
【００４３】
図２は、本発明のカロリー情報処理装置１の内部の機能構成を示す機能ブロック図である。カロリー情報処理装置１は、演算を行うＣＰＵ１１と、演算に伴って発生する一時的な情報を記憶するＲＡＭ１２と、ＣＤ−ＲＯＭドライブ等の外部記憶装置１３と、ハードディスク等の内部記憶装置１４とを備えている。ＣＰＵ１１は、ＣＤ−ＲＯＭ等の記録媒体３から本発明のコンピュータプログラム３０を外部記憶装置１３にて読み取り、読み取ったコンピュータプログラム３０を内部記憶装置１４に記憶させる。コンピュータプログラム３０は必要に応じて内部記憶装置１４からＲＡＭ１２へロードされ、ロードされたコンピュータプログラム３０に基づいてＣＰＵ１１はカロリー情報処理装置１に必要な処理を実行する。ＣＰＵ１１は、コンピュータプログラム３０に基づいて、使用者が摂取するカロリーを管理する処理を行う。
【００４４】
なお、本発明のコンピュータプログラム３０は、カロリー情報処理装置１又は通信ネットワークＮに接続された図示しない他のサーバ装置からカロリー情報処理装置１へロードされて内部記憶装置１４に記憶される形態であってもよい。
【００４５】
またカロリー情報処理装置１は、通信ネットワークＮに接続された通信部１５と、日時を計測する時計部１６とを備えている。ＣＰＵ１１は、通信部１５を用いて、通信ネットワークＮを介して送受信装置２との間で情報を送受信する。
【００４６】
内部記憶装置１４は、食品を特定する食品特定情報と食品を摂取した場合のカロリーとを互いに関連づけて記録した食品ＤＢ１４１を備えている。また内部記憶装置１は、食事の内容を示すメニュー情報と食事を摂取した場合のカロリーとを互いに関連づけて記録したメニューＤＢ１４２を備えている。なお、カロリー情報処理装置１が内部に食品ＤＢ１４１を備えるのではなく、カロリー情報処理装置１に接続された図示しない他のサーバ装置、又は通信ネットワークＮに接続された図示しない他のサーバ装置で食品ＤＢ１４１を構成する形態でもよい。例えば、食品のメーカ又は流通業者が食品毎に異なったサーバ装置を設け、各サーバ装置が食品ＤＢ１４１の内容の一部を記憶しておき、カロリー情報処理装置１は受信した食品特定情報に応じて各サーバ装置へアクセスする構成であってもよい。
【００４７】
また内部記憶装置１４は、カロリーに対応したお勧めの食事のメニュー又は間食を示す情報を記録したお勧めデータ１４３を記憶している。更に内部記憶装置１４は、使用者に係る情報を記録した個人ＤＢ１４４を備えている。内部記憶装置１４は、登録されている複数の使用者の夫々について個人ＤＢ１４４を備えている。
【００４８】
個人ＤＢ１４４には、使用者のＩＤ、パスワード及び携帯電話の電話番号等の使用者を識別するための識別情報１４ａが含まれている。また個人ＤＢ１４４には、一日の食事による摂取カロリーの目標値、一日の間食による摂取カロリーの目標値、食事及び間食による一日の総摂取カロリーの目標値、又は一日の各時間における摂取カロリーの目標値等の、摂取カロリーの目標値を記録する目標データ１４ｂが含まれている。また個人ＤＢ１４４には、使用者が食事を摂取することによって摂取した摂取カロリーを記録する食事データ１４ｃ、使用者が間食を摂取することによって摂取した摂取カロリーを記録する間食データ１４ｄ、使用者が食事及び間食を摂取することによって摂取した総摂取カロリーを記録する摂取カロリーデータ１４ｅを含んでいる。これによって内部記憶装置１４は、本発明に係る摂取カロリー記憶手段として機能する。
【００４９】
また個人ＤＢ１４４は、使用者の日々の体重を記録した体重データ１４ｆを含んでいる。更に個人ＤＢ１４４は、使用者の年齢、性別及び身長等の個人情報を記録した個人データ１４ｅを含んでいる。
【００５０】
コンピュータプログラム３０は、使用者が食事によって摂取したカロリーを記録する食事用処理をＣＰＵ１１が行うためのプログラムと、使用者が間食によって摂取したカロリーを記録する間食用処理をＣＰＵ１１が行うためのプログラムと、一日の摂取カロリーを使用者に報告し、次の日の摂取カロリーの目標値を決定する報告・目標決定処理をＣＰＵ１１が行うためのプログラムを含んでいる。
【００５１】
次に、以上の構成からなるカロリー情報処理システムを用いた本発明の摂取カロリー管理方法を説明する。使用者が朝食、昼食又は夕食等の食事を摂取する際に、カロリー情報処理システムは使用者が食事によって摂取したカロリーを記録する食事用処理を行う。図３は、本発明のカロリー情報処理システムが行う食事用処理の手順を示すフローチャートである。ＣＰＵ１１は、ＲＡＭ１２にロードしたコンピュータプログラム３０に従って、以下の処理を実行する。
【００５２】
送受信装置２は、使用者の操作による、食事用処理を行うべくカロリー情報処理装置１に接続するための接続指示の受付を監視している（Ｓ１０１）。接続指示の受付がない場合は（Ｓ１０１：ＮＯ）、送受信装置２は、接続指示の受付の監視を続行する。使用者は、食事を摂取する際に、送受信装置２の受付部を操作して、食事用処理を行うための接続指示を入力する。送受信装置２は、接続指示を受け付けた場合は（Ｓ１０１：ＹＥＳ）、無線通信を用いて通信ネットワークＮに接続し、通信ネットワークＮを介してカロリー情報処理装置１へ食事用処理を行うための接続要求を送信する（Ｓ１０２）。このとき送受信装置２は、使用者のＩＤ又は携帯電話の電話番号等の使用者を識別するための情報を接続要求と共に送信する。また送受信装置２は、このときに、使用者のＩＤ又はパスワード等の使用者を識別するための情報を使用者の操作により受け付け、受け付けた情報を送信する処理を行う形態であってもよい。
【００５３】
カロリー情報処理装置１は、送受信装置２から送信された接続要求を通信部１５で受信し（Ｓ１０３）、ＣＰＵ１１は、送受信装置２から受信した情報を用いて、使用者を識別するための識別処理を行う（Ｓ１０４）。このときＣＰＵ１１は、個人ＤＢ１４４に含まれる識別情報１４ａに基づいて識別処理を行う。なおＣＰＵ１１は、使用者の識別ができない場合に、パスワード等の使用者を識別するための情報の再送信を要求する指示を送受信装置２へ送信する処理を行ってもよい。ＣＰＵ１１は、次に、通信部１５に、食事の内容を示すメニュー情報の要求を、通信ネットワークＮを介して送受信装置２へ送信させる（Ｓ１０５）。
【００５４】
送受信装置２は、カロリー情報処理装置１から送信されたメニュー情報の要求を受信し（Ｓ１０６）、食事の内容を示すメニュー情報の入力画面を表示部に表示する（Ｓ１０７）。送受信装置２は、次に、使用者が受付部を操作することによるメニュー情報の受付を監視する（Ｓ１０８）。メニュー情報の受付がない場合は（Ｓ１０８：ＮＯ）、送受信装置２は、メニュー情報の受付の監視を続行する。メニュー情報を受け付けた場合は（Ｓ１０８：ＹＥＳ）、送受信装置２は、受け付けたメニュー情報をカロリー情報処理装置１へ送信する（Ｓ１０９）。
【００５５】
カロリー情報処理装置１は、送受信装置２から送信されたメニュー情報を通信部１５で受信し（Ｓ１１０）、ＣＰＵ１１は、メニュー情報と食事を摂取した場合のカロリーとを互いに関連づけて記録したメニューＤＢ１４２から、受信したメニュー情報に対応したカロリーを抽出する（Ｓ１１１）。ＣＰＵ１１は、次に、時計部１６が計測する日時に関連づけて、抽出したカロリーを食事による摂取カロリーとして食事データ１４ｃ及び摂取カロリーデータ１４ｅに追加し（Ｓ１１２）、食事用処理を終了する。本発明のカロリー情報処理システムは、使用者が食事を摂取する都度、以上の食事用処理を実行する。
【００５６】
使用者が菓子、菓子パン又はカップ麺等の食品を摂取することによって間食を摂取する際に、カロリー情報処理システムは使用者が間食によって摂取したカロリーを記録する間食用処理を行う。図４、図５及び図６は、本発明のカロリー情報処理システムが行う間食用処理の手順を示すフローチャートである。ＣＰＵ１１は、ＲＡＭ１２にロードしたコンピュータプログラム３０に従って、以下の処理を実行する。
【００５７】
送受信装置２は、使用者の操作による、間食用処理を行うべくカロリー情報処理装置１に接続するための接続指示の受付を監視している（Ｓ２０１）。接続指示の受付がない場合は（Ｓ２０１：ＮＯ）、送受信装置２は、接続指示の受付の監視を続行する。使用者は、食品を摂取することによる間食の前に、送受信装置２の受付部を操作して、間食用処理を行うための接続指示を入力する。送受信装置２は、接続指示を受け付けた場合は（Ｓ２０１：ＹＥＳ）、無線通信を用いて通信ネットワークＮに接続し、通信ネットワークＮを介してカロリー情報処理装置１へ間食用処理を行うための接続要求を送信する（Ｓ２０２）。
【００５８】
カロリー情報処理装置１は、送受信装置２から送信された接続要求を通信部１５で受信し（Ｓ２０３）、ＣＰＵ１１は、送受信装置２から受信した情報を用いて、使用者を識別するための識別処理を行う（Ｓ２０４）。ＣＰＵ１１は、次に、通信部１５に、間食に係る食品を特定する食品特定情報の要求を、通信ネットワークＮを介して送受信装置２へ送信させる（Ｓ２０５）。
【００５９】
送受信装置２は、カロリー情報処理装置１から送信された食品特定情報の要求を受信し（Ｓ２０６）、食品特定情報の入力指示を表示部に表示し（Ｓ２０７）、使用者の操作による食品特定情報の受付を監視する（Ｓ２０８）。使用者は、食品の外観の写真を撮影させるか、バーコードを読み取らせるか、又はＪＡＮコード若しくは商品名を入力する等の操作により、摂取しようとしている食品を特定する食品特定情報を送受信装置２に受け付けさせる。食品特定情報の受付がない場合は（Ｓ２０８：ＮＯ）、送受信装置２は、食品特定情報の受付の監視を続行する。食品特定情報を受け付けた場合は（Ｓ２０８：ＹＥＳ）、送受信装置２は、受け付けた食品特定情報をカロリー情報処理装置１へ送信する（Ｓ２０９）。
【００６０】
カロリー情報処理装置１は、送受信装置２から送信された食品特定情報を通信部１５で受信し（Ｓ２１０）、ＣＰＵ１１は、食品特定情報と食品を摂取した場合のカロリーとを互いに関連づけて記録した食品ＤＢ１４１から、受信した食品特定情報に対応したカロリーを検索する（Ｓ２１１）。このときＣＰＵ１１は、前述した如く、図示しない他のサーバ装置から食品のカロリーを検索してもよい。ＣＰＵ１１は、次に、間食データ１４ｄに記録されている一日のこれまでの間食による摂取カロリーと検索したカロリーとを合計する（Ｓ２１２）。ＣＰＵ１１は、次に、一日のこれまでの間食による摂取カロリーと検索したカロリーとのカロリーの合計値が、目標データ１４ｂに記録されている一日の間食による摂取カロリーの目標値よりも大であるか否かを判定する（Ｓ２１３）。
【００６１】
なおＣＰＵ１１は、ステップＳ２１２で、摂取カロリーデータ１４ｅに記録されている一日のこれまでの食事及び間食による総摂取カロリーと検索したカロリーとを合計し、ステップＳ２１３で、カロリーの合計値が、目標データ１４ｂに記録されている一日の食事及び間食による総摂取カロリーの目標値よりも大であるか否かを判定する処理を行ってもよい。また、目標データ１４ｂが一日の各時間における摂取カロリーの目標値を記憶しており、ＣＰＵ１１は、ステップＳ２１２で、現在の時間帯に関連づけられて摂取カロリーデータ１４ｅに記録されている摂取カロリーと検索したカロリーとを合計し、ステップＳ２１３で、カロリーの合計値が、目標データ１４ｂに記録されている現在の時間帯における摂取カロリーの目標値よりも大であるか否かを判定する処理を行ってもよい。またＣＰＵ１１は、以上の処理を同時に行ってもよい。
【００６２】
ステップＳ２１３で、カロリーの合計値が目標値以下であった場合は（Ｓ２１３：ＮＯ）、ＣＰＵ１１は、食品の摂取の許可を示す情報を含む摂取情報を生成する（Ｓ２１４）。このときＣＰＵ１１は、目標値までの摂取カロリーの許容量を示す情報を更に含む摂取情報を生成してもよい。
【００６３】
ステップＳ２１３で、カロリーの合計値が目標値より大であった場合は（Ｓ２１３：ＹＥＳ）、ＣＰＵ１１は、食品の摂取の禁止を示す情報を生成する（Ｓ２１５）。ＣＰＵ１１は、次に、カロリーの合計値が目標値を超過した分のカロリーを削減するための食事メニュー又はカロリーの合計値が目標値を超過した分のカロリーを検索したカロリーから削減したカロリーに対応する間食等の、お勧めの食事メニュー又は間食をお勧めデータ１４３から抽出する（Ｓ２１６）。ＣＰＵ１１は、次に、食品の摂取の禁止を示す情報とお勧めの食事メニュー又は間食を示す情報とを含む摂取情報を生成する（Ｓ２１７）。このときＣＰＵ１１は、カロリーの合計値が目標値を超過した超過量を示す情報を更に含む摂取情報を生成してもよい。ステップＳ２１４又はステップＳ２１７が終了した場合は、ＣＰＵ１１は、通信部１５に、生成した摂取情報を送受信装置２へ送信させる（Ｓ２１８）。
【００６４】
送受信装置２は、カロリー情報処理装置１から送信された摂取情報を受信し（Ｓ２１９）、受信した摂取情報を表示部に表示する（Ｓ２２０）。このとき、送受信装置２の表示部には、食品の摂取の許可が表示されるか、又は食品の摂取の禁止が表示される。また食品の摂取の禁止が表示される場合には、共にお勧めの食事メニュー又は間食が表示される。使用者は、表示部に表示された摂取情報の内容を確認し、摂取情報の内容に従って食品を摂取するか否かを判断する。食品を摂取する場合は、使用者は、送受信装置２の受付部を操作することによって、食品を摂取したことを示す摂取確認情報を送受信装置２に受け付けさせる。食品を摂取することを止めた場合は、使用者は、送受信装置２の受付部を操作することによって、摂取を中止したことを示す摂取中止情報を送受信装置２に受け付けさせる。
【００６５】
送受信装置２は、次に、使用者の操作による摂取確認情報の受付を監視する（Ｓ２２１）。摂取確認情報を受付部で受け付けた場合は（Ｓ２２１：ＹＥＳ）、送受信装置２は、受け付けた摂取確認情報をカロリー情報処理装置１へ送信する（Ｓ２２２）。カロリー情報処理装置１は、送受信装置２から送信された摂取確認情報を通信部１５で受信し（Ｓ２２３）、ＣＰＵ１１は、使用者が摂取した食品のカロリーを、時計部１６が計測する日時に関連づけて、間食による摂取カロリーとして間食データ１４ｄ及び摂取カロリーデータ１４ｅに追加し（Ｓ２２４）、間食用処理を終了する。
【００６６】
ステップＳ２２１で摂取確認情報の受付がない場合は（Ｓ２２１：ＮＯ）、送受信装置２は、使用者の操作による摂取中止情報の受付を監視する（Ｓ２２５）。摂取中止情報の受付がない場合は（Ｓ２２５：ＮＯ）、送受信装置２は、処理をステップＳ２２１へ戻す。摂取中止情報を受付部で受け付けた場合は（Ｓ２２５：ＹＥＳ）、送受信装置２は、受け付けた摂取中止情報をカロリー情報処理装置１へ送信する（Ｓ２２６）。カロリー情報処理装置１は、送受信装置２から送信された摂取中止情報を通信部１５で受信し（Ｓ２２７）、ＣＰＵ１１は、間食用処理を終了する。本発明のカロリー情報処理システムは、使用者が間食を摂取しようとする都度、以上の間食用処理を実行する。
【００６７】
一日の終わりには、本発明のカロリー情報処理システムは、一日の摂取カロリーを使用者に報告し、次の日の予定を決定する報告・目標決定処理を行う。図７は、本発明のカロリー情報処理システムが行う報告・目標決定処理の手順を示すフローチャートである。ＣＰＵ１１は、ＲＡＭ１２にロードしたコンピュータプログラム３０に従って、以下の処理を実行する。
【００６８】
カロリー情報処理装置１のＣＰＵ１１は、時計部１６が計測する日時に基づいて、一日の内の所定の時刻になったかを監視している（Ｓ３０１）。まだ所定の時刻ではない場合は（Ｓ３０１：ＮＯ）、ＣＰＵ１１は、時刻の監視を続行する。時刻が所定の時刻になった場合は（Ｓ３０１：ＹＥＳ）、ＣＰＵ１１は、食事データ１４ｃ、間食データ１４ｄ、摂取カロリーデータ１４ｅから、一日の食事による摂取カロリー、一日の間食による摂取カロリー、及び一日の総摂取カロリーを抽出する（Ｓ３０２）。ＣＰＵ１１は、次に、抽出した一日の摂取カロリーと、目標データ１４ｂに記録されている一日の食事による摂取カロリーの目標値、一日の間食による摂取カロリーの目標値、食事及び間食による一日の総摂取カロリーの目標値の摂取カロリーの目標値とを比較する（Ｓ３０３）。ＣＰＵ１１は、次に、抽出した一日の摂取カロリー、一日の摂取カロリーと目標値との比較結果、及び本日の体重の要求を、通信部１５に送受信装置２へ送信させる（Ｓ３０４）。
【００６９】
送受信装置２は、カロリー情報処理装置１から送信された一日の摂取カロリー、一日の摂取カロリーと目標値との比較結果、及び本日の体重の要求を受信し（Ｓ３０５）、受信した一日の摂取カロリー、一日の摂取カロリーと目標値との比較結果、及び本日の体重の要求を表示部に表示する（Ｓ３０６）。ここで、使用者は、摂取カロリーが目標値を超過している場合はカロリーを摂取し過ぎたことを確認し、摂取カロリーが目標値以下である場合は目標通りに摂取カロリーを制限できたことを確認する。送受信装置２は、次に、使用者が受付部を操作することによる、本日の使用者の体重の受付を監視する（Ｓ３０７）。体重の受付がない場合は（Ｓ３０７：ＮＯ）、送受信装置２は体重の受付の監視を続行する。受付部で使用者の体重を受け付けた場合は（Ｓ３０７：ＹＥＳ）、送受信装置２は、受け付けた体重を示す情報をカロリー情報処理装置１へ送信する（Ｓ３０８）。
【００７０】
カロリー情報処理装置１は、送受信装置２から送信された体重を示す情報を通信部１５で受信し（Ｓ３０９）、ＣＰＵ１１は、受信した情報が示す使用者の体重を、時計部１６が計測する日時に関連づけて、体重データ１４ｆに追加する（Ｓ３１０）。ＣＰＵ１１は、次に、体重データ１４ｆに記録されている体重の経時変化及び個人データに１４ｇに記録された身長等の個人情報に基づいて、次の日の摂取カロリーの目標値を決定する（Ｓ３１１）。例えば、身長及び年齢等から求められる標準体重に対して日々の体重が近づいている場合は、本日と同様の値に摂取カロリーの目標値を定める。また例えば標準体重に比べて日々の体重が増加傾向にある場合は、本日よりも削減した値に摂取カロリーの目標値を定める。ここでＣＰＵ１１は、一日の食事による摂取カロリーの目標値、一日の間食による摂取カロリーの目標値、食事及び間食による一日の総摂取カロリーの目標値、又は一日の各時間における摂取カロリーの目標値等を決定する。
【００７１】
ＣＰＵ１１は、次に、決定した摂取カロリーの目標値を目標データ１４ｂに記録し（Ｓ３１２）、決定した摂取カロリーの目標値を、通信部１５に送受信装置２へ送信させる（Ｓ３１３）。なおＣＰＵ１１は、決定した摂取カロリーの目標値を実現するためにお勧めの食事のメニュー又は間食をお勧めデータ１４３から抽出し、抽出した食事のメニュー又は間食を示す情報を送受信装置２へ送信する処理を行ってもよい。
【００７２】
送受信装置２は、カロリー情報処理装置１から送信された摂取カロリーの目標値を受信し（Ｓ３１４）、受信した摂取カロリーの目標値を表示部に表示する（Ｓ３１５）。使用者は、次の日の摂取カロリーの目標値を確認する。ステップＳ３１５が終了した場合は、送受信装置２は報告・目標決定処理を終了する。本発明のカロリー情報処理システムは、使用者の摂取カロリーを管理する所定期間である一日が終了する都度、以上の報告・目標決定処理を実行する。
【００７３】
以上詳述した如く、本発明においては、使用者が菓子等の食品を摂取しようとする際に、外観の写真又はバーコード等の食品を特定する食品特定情報を携帯電話等の送受信装置２からカロリー情報処理装置１へ送信し、カロリー情報処理装置１は食品特定情報に基づいて食品のカロリーを検索し、カロリーに応じた摂取情報を送受信装置２へ送信する。送受信装置が摂取情報を出力することによって、使用者は摂取しようとしている食品のカロリーに係る情報を摂取前に手軽に獲得することができ、摂取結果等を示す摂取情報に基づいて食品を摂取するか否かを適切に判断することができる。また食品特定情報に基づいて食品のカロリーを検索することにより、食品に係るカロリーを正確に知ることができるので、間食による摂取カロリーを正確に管理することが可能となる。
【００７４】
また本発明においては、食品を使用者が摂取した場合は、食品を摂取したことを示す摂取確認情報を送受信装置からカロリー情報処理装置へ送信し、カロリー情報処理装置は食品に係るカロリーを間食による摂取カロリーとして記憶することにより、使用者が間食によって摂取したカロリーを正確に記録することができる。
【００７５】
また本発明においては、カロリー情報処理装置は、一日の食事による摂取カロリーの目標値、一日の間食による摂取カロリーの目標値、食事及び間食による一日の総摂取カロリーの目標値、又は一日の各時間における摂取カロリーの目標値等の、摂取カロリーの目標値と、それまでの摂取カロリーに食品のカロリーを合計した合計値とを比較した比較結果に基づいた摂取情報を送受信装置２へ送信することにより、使用者は、カロリーの摂取に関して、カロリーの摂取状況に応じた適切なアドバイスを受けることができる。
【００７６】
また本発明においては、それまでの摂取カロリーに食品のカロリーを合計した合計値が摂取カロリーの目標値を上回っている場合は、食品の摂取の禁止を示す情報を含む摂取情報を生成することにより、間食によるカロリーを摂取し過ぎないように効果的に摂取カロリーを制限することができる。
【００７７】
また本発明においては、摂取カロリーの目標値とそれまでの摂取カロリーに食品のカロリーを合計した合計値とを比較した比較結果に応じて、摂取カロリーを適切にコントロールできるような食事メニュー又は間食の内容を示す情報を含む摂取情報を生成するので、使用者は、食事のメニュー又は間食の種類を変更する等して摂取情報に従うことにより、適切に摂取カロリーをコントロールすることができる。
【００７８】
また本発明においては、一日間等の所定期間終了時に、所定期間における摂取カロリーの目標値と実際の摂取カロリーとの比較結果に応じた報告を行うことにより、使用者は、一日間等の所定期間におけるカロリーの摂取結果を確認し、確認した摂取結果をふまえて以後の摂取カロリーの管理をより適切に行うことができるようになる。
【００７９】
更に本発明においては、カロリー情報処理装置１は、使用者の日々の体重を記憶し、体重の経時変化と身長又は年齢等の使用者の個人情報とに基づいて、一日の総摂取カロリーの目標値又は一日の各時間における摂取カロリーの目標値等の摂取カロリーの目標値を決定するので、体重を調整するために効果的な摂取カロリーの管理計画を定めることができる。
【００８０】
なお、本実施の形態においては、使用者の摂取カロリーを一日単位で管理する処理を行う形態を示したが、これに限るものではなく、一日の途中から次の日の途中まで又は一日以上のより長い期間等、その他の期間内での摂取カロリーを管理する処理を行う形態であってもよい。また本実施の形態においては、使用者の体重及び個人情報に基づいて摂取カロリーの目標値を決定する処理を行う形態を示したが、これに限るものではなく、使用者が自ら定めた目標値を記憶する形態であってもよい。
【００８１】
また本実施の形態においては、カロリー情報処理装置１は接続処理を行うことによって送受信装置２との間の情報の送受信を可能にする形態を示したが、これに限るものではなく、カロリー情報処理装置１と送受信装置２とは電子メール等を用いることによって接続処理なしに互いに情報を送受することができる形態であってもよい。また本実施の形態においては、送受信装置２は携帯電話等の携帯装置であるとしたが、パーソナルコンピュータ等の通信ネットワークＮに接続可能なその他の装置を送受信装置２として用いた形態であってもよい。
【図面の簡単な説明】
【００８２】
【図１】本発明のカロリー情報処理システムの概要を示す概念図である。
【図２】本発明のカロリー情報処理装置の内部の機能構成を示す機能ブロック図である。
【図３】本発明のカロリー情報処理システムが行う食事用処理の手順を示すフローチャートである。
【図４】本発明のカロリー情報処理システムが行う間食用処理の手順を示すフローチャートである。
【図５】本発明のカロリー情報処理システムが行う間食用処理の手順を示すフローチャートである。
【図６】本発明のカロリー情報処理システムが行う間食用処理の手順を示すフローチャートである。
【図７】本発明のカロリー情報処理システムが行う報告・目標決定処理の手順を示すフローチャートである。
【符号の説明】
【００８３】
１  カロリー情報処理装置
１１  ＣＰＵ
１４  内部記憶装置
２  送受信装置
３  記録媒体
３０  コンピュータプログラム
Ｎ  通信ネットワーク
【図１】
2006134114.tif 000003
【図２】
2006134114.tif 000004
【図３】
2006134114.tif 000005
【図４】
2006134114.tif 000006
【図５】
2006134114.tif 000007
【図６】
2006134114.tif 000008
【図７】
2006134114.tif 000009